(57)【要約】【課題】開閉装置本体を簡潔かつ適切な構成によって垂直方向に移動することにより、更に省スペース化を推進できる開閉装置を得る。【解決手段】水平に配設される基板部材１２ａと、基板部材１２ａの上方において基板部材１２ａの一側に配設される開閉装置本体１０と、基板部材１２ａの他側に配設され開閉装置本体１０を駆動操作するためのリンク機構２１と、基板部材１２ａに配設された開閉装置本体１０を移動するための移動基台６と、移動基台６に垂直軸方向へ延在して配設され垂直軸を中心として回転する棒状駆動部材３と、棒状駆動部材３に螺合し棒状駆動部材３の回転により上下に移動する従動部材２とを備え、従動部材２により基板部材１２ａを上下に移動することによって開閉装置本体１０を昇降するようにした。【選択図】        図３
2004153881.tif 000002
【特許請求の範囲】
【請求項１】
水平に配設される基板部材と、前記基板部材の上方において前記基板部材の一側に配設される開閉装置本体と、前記基板部材の他側に配設され前記開閉装置本体を駆動操作するための駆動機構と、前記基板部材に配設された前記開閉装置本体を移動するための移動基台と、前記移動基台に垂直軸方向へ延在して配設され垂直軸を中心として回転する棒状駆動部材と、前記棒状駆動部材に螺合し前記棒状駆動部材の回転により上下に移動する従動部材とを備え、前記従動部材により前記基板部材を上下に移動することによって前記開閉装置本体を昇降するようにしたことを特徴とする開閉装置。
【請求項２】
水平に配設される基板部材と、前記基板部材の上方において前記基板部材の一側に配設される開閉装置本体と、前記基板部材の他側に配設され前記開閉装置本体を駆動操作するための駆動機構と、前記基板部材に配設された前記開閉装置本体を移動するための平面形状が直方形の移動基台と、前記移動基台に四隅に垂直軸方向へ延在して配設され垂直軸を中心として回転する４本の棒状駆動部材と、前記棒状駆動部材の１本を回転駆動する手動操作機構と、前記手動操作機構により回転駆動される前記棒状駆動部材の回転により駆動され他の３本の前記棒状駆動部材を回転駆動するチェーン部材と、前記手動操作機構および前記チェーン部材によって回転駆動される前記棒状駆動部材に螺合し前記棒状駆動部材の回転により上下に移動する従動部材とを備え、前記従動部材により前記基板部材を上下に移動することによって前記開閉装置本体を昇降するようにしたことを特徴とする開閉装置。
【請求項３】
前記基板部材，前記開閉装置本体により構成される第１の組立ユニットと、前記移動基台，棒状駆動部材および従動部材により構成される第２の組立ユニットとを構成するとともに、前記第１の組立ユニットと第２の組立ユニットとを結合することにより一体化するようにしたことを特徴とする請求項１または請求項２に記載の開閉装置。
【請求項４】
前記基板部材の最高位置を規制して前記開閉装置本体の通電位置を規制するとともに、前記基板部材の最下位置を規制して前記開閉装置本体の断路位置を規制するストッパ部材を設けたことを特徴とする請求項１ないし請求項３のいずれかに記載の開閉装置。
【請求項５】
前記開閉器本体を垂直移動することにより断路位置と通電位置とを移動するとともに、前記開閉器本体を水平移動することにより断路位置と引出し位置とを移動するようにしたことを特徴とする請求項１ないし請求項４のいずれかに記載の開閉装置。
【請求項６】
前記従動部材の上方端面部に横断面形状が非円形の調整用突部を設け、前記調整用突部を回動することにより前記従動部材の前記駆動部材に対する上下相対位置を調整するようにしたことを特徴とする請求項１ないし請求項４のいずれかに記載の開閉装置。
【請求項７】
前記従動部材の横断面形状を非円形とし、前記従動部材を回動することにより前記従動部材の前記駆動部材に対する上下相対位置を調整するようにしたことを特徴とする請求項１ないし請求項４のいずれかに記載の開閉装置。
【発明の詳細な説明】
【０００１】
【発明の属する技術分野】
この発明は、開閉装置、特に、昇降機によって上下移動される遮断器等からなる昇降機付き開閉装置に関するものである。
【０００２】
【従来の技術】
配電盤等に収容される遮断器等の開閉装置本体は、盤内／盤外において水平方向に移動することによって、「引き出し位置」，「断路位置」，「通電位置」の各位置を確保するものであった。
そして、盤内での遮断器の移動について、「断路位置」，「通電位置」の移動に関して、従来の水平方向（奥行き方向）移動であったのを垂直方向（高さ方向）の移動にすることにより、奥行き方向に省スペース化を図ることも提案されている（例えば、特許文献１参照）。
【０００３】
【特許文献１】
スイス国特許出願公開第５９１７７１号明細書（第３頁、図７）
【０００４】
【発明が解決しようとする課題】
この発明は、開閉装置本体を簡潔かつ適切な構成によって垂直方向に移動することにより、更に省スペース化を推進できる開閉装置を得ようとするものである。
【０００５】
【課題を解決するための手段】
この発明に係る開閉装置では、水平に配設される基板部材と、前記基板部材の上方において前記基板部材の一側に配設される開閉装置本体と、前記基板部材の他側に配設され前記開閉装置本体を駆動操作するための駆動機構と、前記基板部材に配設された前記開閉装置本体を移動するための移動基台と、前記移動基台に垂直軸方向へ延在して配設され垂直軸を中心として回転する棒状駆動部材と、前記棒状駆動部材に螺合し前記棒状駆動部材の回転により上下に移動する従動部材とを備え、前記従動部材により前記基板部材を上下に移動することによって前記開閉装置本体を昇降するようにしたものである。
【０００６】
【発明の実施の形態】
実施の形態１．
この発明による実施の形態１を図１ないし図７について説明する。図１は実施の形態１における遮断器上昇時の全体構成を示す斜視図である。図２は実施の形態１における遮断器下降時の全体構成を示す斜視図である。図３は実施の形態１における全体構成を示す分解斜視図である。図４は実施の形態１における昇降機ユニットの構成を示す斜視図である。図５は実施の形態１における昇降機ユニットの構成を示す三面図である。図６は実施の形態１における遮断器ユニットと昇降機ユニットとの結合関係を略示的に示す側面図である。図７は実施の形態１における盤と遮断器との位置関係を示す側面図である。図８は実施の形態１における従動部材の一例を示す側面図である。図９は実施の形態１における従動部材の他の例を示す側面図である。
【０００７】
まず、図１ないし図３について全体構成を説明する。
昇降機ユニット１はベースフレーム６からなる移動基台により構成されている。このベースフレーム６には、車輪７が設けられている。
遮断器１０からなる開閉器本体は、遮断性能を有する真空バルブをモールドした単極ユニット１１によって構成される。単極ユニット１１は、上部端子（導体）１３により母線側への通電経路を確保され、下部端子（導体）１４により負荷ケーブル側への通電経路を確保されている。
単極ユニット１１を備えた遮断器１０は、ボルト締結部１５によって締結される連結部１８を介して、遮断器ユニット台車フレーム１２の上面板１２ａからなる基板部材に結合されている。遮断器ユニット台車フレーム１２からなる基板部材は、上面板１２ａと、上面板１２ａの端縁部から下方に延在する側面板１２ｂとによって構成される。
遮断器ユニット台車フレーム１２からなる基板部材が昇降機ユニット１によって上昇方向または下降方向へ移動されることにより、遮断器１０は、その位置を昇降する。
【０００８】
単極ユニット１１を備えた遮断器１０を駆動操作するための操作機構２０は、ばね構造を操作することにより遮断器１０を駆動するものであって、この操作機構２０は遮断器１０とともにボルト締結部１５によって締結される連結部１８を介して、遮断器ユニット台車フレーム１２の上面板１２ａからなる基板部材に結合される。
操作機構２０によってばね構造が操作され、ばね構造による駆動力が３相軸１９およびリンク機構２１からなる中継駆動機構を介して遮断器１０に伝達されることにより遮断器１０の真空バルブからなる単極ユニット１１の３相分がスイッチ動作されるものである。
遮断器１０に操作駆動力を伝達する３相軸１９およびリンク機構２１からなる中継駆動機構は、遮断器ユニット台車フレーム１２における上面板１２ａの下方に配設されている。
【０００９】
昇降機ユニット１の詳細は、図４以下に示されている。
昇降機ユニット１のベースフレーム６からなる移動基台は、平面形状が長方形で構成され、このベースフレーム６には、車輪７が設けられている。
ベースフレーム６の四隅には、雄ねじ棒３からなる棒状駆動部材がぞれぞれ設けられている。
４本の雄ねじ棒３からなる棒状駆動部材は、雌ねじ棒２からなる筒状従動部材とそれぞれ螺合し、垂直に延在する雄ねじ棒３の中心軸を中心として回転可能に構成される。
これらの雄ねじ棒３の回転により、雌ねじ棒２からなる筒状従動部材は、それぞれその上端面を上下に移動して昇降される。
【００１０】
雄ねじ棒３からなる棒状駆動部材は、その４本が互いに連動するように、チェーン部材４によって連結されており、そのうちの１本の回転により他の３本が同様に回転する。
図４の右端に図示する雄ねじ棒３は、手動操作ハンドル差込口５に差し込まれる手動操作ハンドルによって、手動により駆動され回転する。これにより他の雄ねじ棒３もチェーン部材４を介して同様に回転し、それぞれ雌ねじ棒２からなる筒状従動部材を上下に移動する。
このように、４本の雄ねじ棒３からなる棒状駆動部材が連動して回転するため、４本の雌ねじ棒２からなる筒状従動部材も互いに同一の上下位置関係で昇降する。
【００１１】
昇降機ユニット１を三面図で示すと、図５のようになる。図５（ａ）は昇降機ユニット１の上面図、図５（ｂ）は昇降機ユニット１の側面図、図５（ｃ）は昇降機ユニット１の端面図である。
【００１２】
雌ねじ棒２からなる筒状従動部材は、その上端面を遮断器ユニット台車フレーム１２からなる基板部材における上面板１２ａ（図１〜図３参照）の下面に係合し、遮断器ユニット台車フレーム１２からなる基板部材と一体に構成された遮断器１０および遮断器操作機構２０からなる遮断器ユニット１６を上下に移動し、昇降することができる。
前述の通り、雌ねじ棒２からなる筒状従動部材は互いに連動して回転する雄ねじ棒３からなる棒状駆動部材との螺合により上下に駆動されるものであって、互いに同一の相互上下関係で移動するため、遮断器ユニット１６を水平度を保って円滑に昇降することができる。
【００１３】
昇降機ユニット１と遮断器ユニット１６との連結関係を略示的に示すと、図６のようになる。
昇降機ユニット１における４本の雌ねじ棒２からなる筒状従動部材の上端面２ａは、遮断器ユニット台車フレーム１２からなる基板部材の上面板１２ａにそれぞれ係合する。
下降位置において、遮断器ユニット１６を装着した遮断器ユニット台車フレーム１２からなる基板部材は、１点鎖線に示す位置にある。
雄ねじ棒３からなる棒状駆動部材の一方への回転により雌ねじ棒２からなる筒状従動部材が上昇方向に駆動されると、遮断器ユニット台車フレーム１２の上面板１２ａは２点鎖線で示す上昇位置に移動する。
また、雄ねじ棒３からなる棒状駆動部材の他方への回転により雌ねじ棒２からなる筒状従動部材が上昇方向に移動され、遮断器ユニット台車フレーム１２は１点鎖線で示す下降位置に移動する。
昇降機ユニット１には、昇降動作に伴う遮断器ユニット１６の高さ方向での位置決めとして、ストッパ部材２２が設けられ、遮断器ユニット１６の最高点（通電位置）と最下位置（断路位置）の位置決めを行う。
【００１４】
ここで、遮断器１０からなる開閉器本体ならびに操作機構２０を装着した遮断器ユニット台車フレーム１２からなる遮断器ユニット１６で構成される第１の組立ユニットを構成し、ベースフレーム６からなる移動基台ならびに雌ねじ棒２からなる筒状従動部材螺子および雄ねじ棒３からなる棒状駆動部材等からなる昇降機ユニット１は第２の組立ユニットを構成する。
これら第１および第２の組立ユニットは、両者の結合前における組立準備段階では、それぞれ別々のユニットとして個々に組立られて構成され、各ユニットが組み上がった後、両者がボルト締結等により遮断器ユニット１６が上下昇降移動できるように互いに結合され、全体装置として構築されるものである。
【００１５】
図７により、配電盤等の盤装置と遮断器との位置関係について説明する。図７（ａ）は盤装置と遮断器との位置関係を示す側面図である。図７（ｂ）は盤装置における遮断器の移動状態を示す説明図である。
配電盤等の盤装置３０には母線部モールドユニット３１が設けられ、この盤装置３０内外において、遮断器ユニット１６が所定の位置移動を行う。
昇降機ユニット１により移動昇降される遮断器ユニット１６は、１点鎖線で示す引出し位置から水平に点線で示す断路位置に移行し、断路位置から垂直に昇降して実線で示す通電位置に移行する。
通電位置から断路位置，引出し位置へは、その逆の行程を辿る。
【００１６】
図８により、雌ねじ棒２からなる筒状従動部材の雄ねじ棒３からなる棒状駆動部材に対する上下位置調整を行う構成の一例について、説明する。
図８（ａ）は雌ねじ棒２からなる筒状従動部材の雄ねじ棒３からなる棒状駆動部材の上面図、図８（ｂ）は側面図である。
雌ねじ棒２からなる筒状従動部材の上端面には、横断面形状としての平面形状が六角形からなる非円形突部２ｂが設けられている。
非円形突部２ｂにスパナ等の工具を嵌合することによって、雌ねじ棒２からなる筒状従動部材の雄ねじ棒３からなる棒状駆動部材との相互上下位置を調整することができる。
非円形突部２ｂの横断面形状は、六角形のものに限らず、四角形などの平面形状を持つものであってもよい。
【００１７】
図９により、雌ねじ棒２からなる筒状従動部材の雄ねじ棒３からなる棒状駆動部材に対する上下位置調整を行う構成の他の例について、説明する。
図９（ａ）は雌ねじ棒２からなる筒状従動部材の雄ねじ棒３からなる棒状駆動部材の上面図、図９（ｂ）は側面図である。
雌ねじ棒２からなる筒状従動部材は、横断面形状としての平面形状が六角形からなる非円形状に構成されている。
この横断面形状は、六角形のものに限らず、四角形などの平面形状を持つものであってもよい。
平面形状が非円形状の雌ねじ棒２の端面部からその周面にスパナ等の工具を嵌合し、雌ねじ棒２からなる筒状従動部材の雄ねじ棒３からなる棒状駆動部材との相互上下位置を調整することができる。
【００１８】
この発明による実施の形態１によれば、水平に配設される遮断器台車フレーム１２の上面板１２ａからなる基板部材と、前記遮断器台車フレーム１２の上面板１２ａからなる基板部材の上方において前記遮断器台車フレーム１２の上面板１２ａからなる基板部材の一側に配設される遮断器１０からなる開閉装置本体と、前記遮断器台車フレーム１２の上面板１２ａからなる基板部材の上方において前記遮断器台車フレーム１２の上面板１２ａからなる基板部材の一側に配設され前記遮断器１０を開閉操作するための操作機構２０と、前記遮断器台車フレーム１２の上面板１２ａからなる基板部材の他側に配設され前記遮断器１０からなる開閉装置本体を駆動操作するための三相軸１９およびリンク機構２１からなる中継駆動機構と、前記遮断器台車フレーム１２の上面板１２ａからなる基板部材に配設された前記遮断器１０からなる開閉装置本体および操作機構２０を移動するためのベースフレーム６からなる移動基台と、前記ベースフレーム６からなる移動基台に垂直軸方向へ延在して配設され垂直軸を中心として回転する雄ねじ棒３からなる棒状駆動部材と、前記雄ねじ棒３からなる棒状駆動部材に螺合し前記雄ねじ棒３からなる棒状駆動部材の回転により上下に移動する雌ねじ棒２からなる従動部材とを備え、前記雌ねじ棒２からなる従動部材により前記遮断器台車フレーム１２の上面板１２ａからなる基板部材を上下に移動することによって前記遮断器１０からなる開閉装置本体および操作機構２０を昇降するようにしたので、開閉装置本体を簡潔かつ適切な構成によって垂直方向に移動することにより、更に省スペース化を推進できる開閉装置を得ることができる。
【００１９】
また、この発明による実施の形態１によれば、水平に配設される遮断器台車フレーム１２の上面板１２ａからなる基板部材と、前記遮断器台車フレーム１２の上面板１２ａからなる基板部材の上方において前記遮断器台車フレーム１２の上面板１２ａからなる基板部材の一側に配設される遮断器１０からなる開閉装置本体と、前記遮断器台車フレーム１２の上面板１２ａからなる基板部材の上方において前記遮断器台車フレーム１２の上面板１２ａからなる基板部材の一側に配設され前記遮断器１０を開閉操作するための操作機構２０と、前記遮断器台車フレーム１２の上面板１２ａからなる基板部材の他側に配設され前記遮断器１０からなる開閉装置本体を駆動操作するための三相軸１９およびリンク機構２１からなる中継駆動機構と、前記遮断器台車フレーム１２の上面板１２ａからなる基板部材に配設された前記遮断器１０からなる開閉装置本体および操作機構２０を移動するための平面形状が直方形のベースフレーム６からなる移動基台と、前記ベースフレーム６からなる移動基台に四隅に垂直軸方向へ延在して配設され垂直軸を中心として回転する４本の雄ねじ棒３からなる棒状駆動部材と、前記４本の雄ねじ棒３からなる棒状駆動部材の１本を回転駆動する手動操作ハンドル差込口５に挿入される手動操作ハンドルからなる手動操作機構と、前記手動操作ハンドルからなる手動操作機構により回転駆動される前記雄ねじ棒３からなる棒状駆動部材の回転により駆動され他の３本の前記雄ねじ棒３からなる棒状駆動部材を回転駆動するチェーン部材４と、前記手動操作ハンドルからなる手動操作機構および前記チェーン部材４によって回転駆動される前記雄ねじ棒３からなる棒状駆動部材に螺合し前記棒状駆動部材の回転により上下に移動する雌ねじ棒２からなる従動部材とを備え、前記雌ねじ棒２からなる従動部材により前記遮断器台車フレーム１２の上面板１２ａからなる基板部材を上下に移動することによって前記遮断器１０からなる開閉装置本体および操作機構２０を昇降するようにしたので、開閉装置本体を簡潔かつ適切な構成によって垂直方向に移動することにより、更に省スペース化を推進できる開閉装置を得ることができるものである。
【００２０】
この発明による実施の形態１によれば、前項の構成において、前記遮断器台車フレーム１２の上面板１２ａからなる基板部材，前記遮断器１０からなる開閉装置本体および前記操作機構２０により構成される遮断器ユニット１６からなる第１の組立ユニットと、前記ベースフレーム６からなる移動基台，雄ねじ棒３からなる棒状駆動部材および雌ねじ棒２からなる従動部材により構成される第２の組立ユニットとを構成するとともに、前記第１の組立ユニットと第２の組立ユニットとを結合するよることにより一体化するようにしたので、開閉装置本体を簡潔かつ適切な構成によって垂直方向に移動することにより、更に省スペース化を推進できるとともに、ユニット化により組立を円滑かつ適切に行える開閉装置を得ることができる。
【００２１】
この発明による実施の形態１によれば、前項の構成において、前記遮断器台車フレーム１２の上面板１２ａからなる基板部材の最高位置を規制して前記遮断器１０からなる開閉装置本体の通電位置を規制するとともに、前記遮断器台車フレーム１２の上面板１２ａからなる基板部材の最下位置を規制して前記遮断器１０からなる開閉装置本体の断路位置を規制するストッパ部材２２を設けたので、開閉装置本体を簡潔かつ適切な構成によって垂直方向に移動することにより、更に省スペース化を推進できるとともに、開閉装置本体の上下位置規制を的確に行える開閉装置を得ることができる。
【００２２】
この発明による実施の形態１によれば、前項の構成において、前記遮断器１０からなる開閉器本体を垂直移動することにより断路位置と通電位置とを移動するとともに、前記遮断器１０からなる開閉器本体を水平移動することにより断路位置と引出し位置とを移動するようにしたので、開閉装置本体を簡潔かつ適切な構成によって垂直方向に移動することにより、更に省スペース化を推進できるとともに、開閉装置本体の盤装置内外における位置移動を適切に行える開閉装置を得ることができる。
【００２３】
この発明による実施の形態１によれば、前記雌ねじ棒２からなる従動部材の上方端面部に横断面形状が非円形の調整用突部２ｂを設け、前記調整用突部２ｂを回動することにより前記筒状雌ねじ棒２からなる従動部材の前記雄ねじ棒３からなる駆動部材に対する上下相対位置を調整するようにしたので、、開閉装置本体を簡潔かつ適切な構成によって垂直方向に移動することにより、更に省スペース化を推進できるとともに、従動部材の上下位置調整を容易に行える開閉装置を得ることができる。
【００２４】
この発明による実施の形態１によれば、前記雌ねじ棒２からなる従動部材の横断面形状を非円形とし、前記雌ねじ棒２からなる従動部材を回動することにより前記雌ねじ棒２からなる従動部材の前記雄ねじ棒３からなる駆動部材に対する上下相対位置を調整するようにしたので、、開閉装置本体を簡潔かつ適切な構成によって垂直方向に移動することにより、更に省スペース化を推進できるとともに、従動部材の上下位置調整を容易に行える開閉装置を得ることができる。
【００２５】
以上のように、この発明による実施の形態では、盤内動作である「断路位置」と「接続位置」を垂直方向（高さ方向）へ変換することにより、奥行き方向に省スペース化を図ったスイッチギヤ製作へ寄与する目的を有する。
【００２６】
その手段として、リンク機構が収納されている台車内部に、上下昇降機を有する４本のネジ棒とチェーンを配置することにより、ベース（床面）との平行度が保たれた状態での上昇、下降が可能な構造をとる。ネジ棒に関しては、雌ねじ棒を遮断器台車に固定し、雄ねじ棒は回転運動を自由な条件で固定することにより上下の可動とチェーンのガイドの役割を果たす。チェーンに関しては、４本の支柱のうち１箇所を直接駆動とすることにより、残りの３本の支柱がチェーンにより連動して動作する構造をとることにより、ベースに対する上部構造の平行度が保たれた状態での上昇、下降が可能になる。
【００２７】
また、組立構造に関して、遮断部（単極構造物）およびメカ・リンク機構が組み込まれている遮断器ユニットと、上下への昇降機能を有する上下昇降機ユニットを別ユニットとして各々を組み立て、後工程で両ユニットをボルト・ナット等のねじ類で締結することにより、簡単に一体化できる構造をとることが可能である。
【００２８】
さらに、上下昇降機の役割を果たす「雌ねじ棒」に関して、各々のねじ棒の先端に六角形状を付けることにより、工具による高さ調節を可能にする。
この構造をとることにより、組立公差および部品自体の公差（素材自体の歪み）を雌ねじ棒により調整でき、ベースからの平行度を保つことができる。
また、雌ねじ棒に関しては、上記方法以外にも雌ねじ棒の素材自体を六角形状など工具による調整可能にすることにより、上記と同じ効果を持たせることが可能である。
【００２９】
【発明の効果】
この発明によれば、開閉装置本体を簡潔かつ適切な構成によって垂直方向に移動することにより、更に省スペース化を推進できる開閉装置を得ることができる。
【図面の簡単な説明】
【図１】この発明による実施の形態における遮断器上昇時の全体構成を示す斜視図である。
【図２】この発明による実施の形態における遮断器下降時の全体構成を示す斜視図である。
【図３】この発明による実施の形態における全体構成を示す分解斜視図である。
【図４】この発明による実施の形態における昇降機ユニットの構成を示す斜視図である。
【図５】この発明による実施の形態における昇降機ユニットの構成を示す三面図である。
【図６】この発明による実施の形態における遮断器ユニットと昇降機ユニットとの結合関係を略示的に示す側面図である。
【図７】この発明による実施の形態における盤装置と遮断器との位置関係を示す側面図および移動状態説明図である。
【図８】この発明による実施の形態における従動部材の一例を示す側面図である。
【図９】この発明による実施の形態における従動部材の他の例を示す側面図である。
【符号の説明】
１  昇降機、２  雌ねじ棒、３  雄ねじ棒（チェーンのガイド機能を持つ）、４  チェーン、５  手動操作ハンドル差込口、６  ベースフレーム、７  車輪、８  昇降用ネジ棒１（手動操作ハンドルからのトルクを、ギヤによるチェーンを回転するトルクに変換する機能を有する）、９  昇降用ネジ棒２（８のネジ棒に連動して同じ動きをする）、１０  遮断器、１１  遮断性能を有する真空バルブをモールドした単極ユニット、１２  遮断器ユニットの台車フレーム、１３  母線側への通電経路となる上部端子（導体）、１４  ケーブル側への通電経路となる下部端子（導体）、１５  連結部（遮断器ユニットと昇降機ユニットをネジ類で連結する部分）、１６  遮断器ユニット、１７  昇降機ユニット、１８  連結部（両ユニットの連結部：４ヶ所）、１９  三相軸（遮断器のリンク部）、２０ばね構造を操作する操作機構（遮断器のメカ部）、２１  リンク機構、２２  ストッパ部材、３０  配電盤等の盤装置、３１  母線部モールドユニット。
【図１】
2004153881.tif 000003
【図２】
2004153881.tif 000004
【図３】
2004153881.tif 000005
【図４】
2004153881.tif 000006
【図５】
2004153881.tif 000007
【図６】
2004153881.tif 000008
【図７】
2004153881.tif 000009
【図８】
2004153881.tif 000010
【図９】
2004153881.tif 000011